Podtech/llm-jp-corpus-v4-ja_patent huggingface dataset:
【手続補正書】
【提出日】平成15年12月16日(2003.12.16)
【手続補正１】
【補正対象書類名】明細書
【補正対象項目名】００７３
【補正方法】変更
【補正の内容】
【００７３】
溶解緩衝液すなわちいわゆる完全溶液を、不完全溶液４．３９ｍｌ＋４％ＴｒｉｔｏｎＸ−１００（５００μｌ）＋１Ｍ  ＤＴＴ１０μｌ＋０．５ｍｇ／ｍｌロイぺプチン５０μｌ＋４０ｍＭ  ＰＭＳＦ５０μｌを用いて、使用直前に調製する。
【手続補正２】
【補正対象書類名】明細書
【補正対象項目名】００９３
【補正方法】変更
【補正の内容】
【００９３】
この目的で以下の試薬が使用される：
-２５ｍＭ  ＴＲＩＳ緩衝液、ｐＨ７．５
-較正曲線用：７-アミノ-４-メチルクマリン（ａｍｃ）（Sigma：Ａ９８９１）
２０ｍＭ  貯蔵溶液（３．５ｍｇ／１ｍｌＤＭＳＯ）
-活性測定用：蛍光発生基質：Ｎ-スクシニル-Ｌｅｕ−Ｌｅｕ-Ｖａｌ-Ｔｙｒ-７-アミノ-４-メチルクマリン（Sigma：Ｓ６５１０）
１０ｍＭ  貯蔵ＤＭＳＯ溶液
【手続補正３】
【補正対象書類名】明細書
【補正対象項目名】０１０４
【補正方法】変更
【補正の内容】
【０１０４】
較正範囲に基づいて、以下の経験式を使用することにより、活性は１分あたりおよびタンパク質１ｍｇあたり放出されるａｍｃのｐｍｏｌで表され得る：
（ＦＵ／分での平均速度（装置に供給する値）×２００×１０-6×１０-6×１０12）／（μｇ／μｌのタンパク質（ブラッドフォード法により測定）×Ｖｉ×１０-3×傾斜ａの係数（ａ＝４．５６８×１０4））
【手続補正４】
【補正対象書類名】明細書
【補正対象項目名】０１０６
【補正方法】変更
【補正の内容】
【０１０６】
Ｒｉ＝（Ｎ×Ｖｔ／Ｖｉ×Ｑｉ）×係数
Ｎ＝１リットルあたりおよび１分あたり放出されるタンパク質のモル数
Ｖｔ＝最終反応体積（２００μｌ）
Ｖｉ＝サンプルｌｉの分取量の体積（μｌ）
Ｑｉ＝ブラッドフォード法によりアッセイされるタンパク質の量（μｇ）
【手続補正５】
【補正対象書類名】明細書
【補正対象項目名】０１１０
【補正方法】変更
【補正の内容】
【０１１０】
粗結果を、３５０ｎｍの励起波長および４４０ｎｍの発光波長に設定された分光蛍光光度計で読み取る。
-活性測定用：蛍光発生基質：Ｎ-ｔ-Ｂｏｃ-Ｌｅｕ-Ｓｅｒ-Ｔｈｒ-Ａｒｇ-７-アミノ-４-メチルクマリン（Sigma：Ｂ４６３６）
１０ｍＭ  貯蔵ＤＭＳＯ溶液
プロテアソームインヒビター：ＭＧ１３２（Ｚ-Ｌｅｕ-Ｌｅｕ-Ｌｅｕ-ＣＨＯ）（Affinity，ＺＷ８４４０）
２０ｍＭ  貯蔵ＤＭＳＯ溶液
【手続補正６】
【補正対象書類名】明細書
【補正対象項目名】０１１４
【補正方法】変更
【補正の内容】
【０１１４】
結果は、先のものと類似の別の実験式でも得られ得る：
（ＦＵ／分での平均速度（装置に供給する値）×２００×１０-6×１０-6×１０12）／（μｇ／μｌのタンパク質（ブラッドフォード法により測定）×Ｖｉ×１０-3×傾斜ｂの係数（ｂ＝１．７２８×１０4））
【手続補正７】
【補正対象書類名】明細書
【補正対象項目名】０１１６
【補正方法】変更
【補正の内容】
【０１１６】
同じスキームに従って、今回は基質β−ナフチルアミン（ｎａ）に対応して、以下の試薬を使用して較正を行う：
-２５ｍＭ  ＴＲＩＳ緩衝液、ｐＨ＝７．５
-較正曲線用：β−ナフチルアミン（ｎａ）（Sigma：Ｎ８３８１）
２０ｍＭ  貯蔵溶液（５．７３ｍｇ／２ｍｌ  ＤＭＳＯ）
【手続補正８】
【補正対象書類名】明細書
【補正対象項目名】０１２２
【補正方法】変更
【補正の内容】
【０１２２】
先の活性についてと同様な手順を使用して、以下の実験公式でＬＬＥ活性の測定を得ることができ、ここでタンパク質（プロテアソーム）の量はｐｍｏｌのｎａ放出／分／ｍｇの導入されるタンパク質（プロテアソーム）で表される：
（ＦＵ／分での平均速度（装置に供給する値）×２００×１０-6×１０-6×１０12）／（μｇ／μｌのタンパク質（ブラッドフォード法により測定）×Ｖｉ×１０-3×傾斜ｃの係数（ｃ＝０．９６６×１０4））
【手続補正９】
【補正対象書類名】明細書
【補正対象項目名】０１３１
【補正方法】変更
【補正の内容】
【０１３１】
１０Ｘ移動緩衝液：０．２５Ｍ  Ｔｒｉｓ-ＨＣｌ、ｐＨ＝８．３；１．９２Ｍグリシン；１％ＳＤＳ
以下の試薬を使用する：Ｔｒｉｓ塩基１２ｇ、グリシン（Research Organics Inc.；５０３７Ｇ）５７．６ｇ、１０％ＳＤＳ（Sigma；Ｌ５７５０）４０ｍｌ、そして体積を蒸留水で４００ｍｌにする。
【手続補正１０】
【補正対象書類名】明細書
【補正対象項目名】０１４５
【補正方法】変更
【補正の内容】
【０１４５】
サンプルの調製
皿に含まれる細胞を回収する前に、それらをＰＢＳで２回すすぐ。最後にすすいだ後、ＰＢＳをできるだけ除去する。細胞をかき出して溶解緩衝液（スキーム１を参照）に回収する（最小で５×１０6細胞／ｍｌの溶解緩衝液）。細胞溶解物を-８０℃で凍結する。
【手続補正１１】
【補正対象書類名】明細書
【補正対象項目名】０１７６
【補正方法】変更
【補正の内容】
【０１７６】
３．１）に見られるように、本発明による抽出物Ｅ２で処理されたＮＨＫについて、細胞内酸化タンパク質量は参照サンプルよりも少ない（図４、レーン１および２を参照）。このことは、本発明による抽出物Ｅ２を使用した場合に観測される、プロテアソームのペプチド加水分解酵素活性に対する刺激効果が、細胞内酸化タンパク質の割合の減少により表されることを示す。図４のレーン３および４は、ＵＶ照射線量が実際により多量の酸化タンパク質を生成する（スポットの強度に比例して）が、この量は本発明によるこの抽出物を使用した後で明らかに減少することを示す。
【手続補正書】
【提出日】平成15年12月11日(2003.12.11)
【手続補正１】
【補正対象書類名】特許請求の範囲
【補正対象項目名】全文
【補正方法】変更
【補正の内容】
【特許請求の範囲】
【請求項１】
ＩＩ型糖尿病を発現する恐れがある、またはその初期段階にある個体を、前記疾病の発症および進行を遅らせるために処置するための医薬組成物の調製における、
一般式１
【化１】
2004525179.tif 000001
（式中、
Ｘは、ＣＨ２およびＳから選択され；
Ｒ１は、Ｃ１〜Ｃ６アルキルおよび（ＣＨ２）ｎ）Ｒ３から選択され；
Ｒ２は、ＣＮであり；
Ｒ３は、ＮＨ−ＨｅｔおよびＮＨＣＯ−Ｈｅｔから選択され、ならびに
Ｈｅｔは、メチル、Ｃｌ、Ｆ、ＣＮおよびＣＦ３から独自に選択された２個以下の基で場合によっては置換されている、ピリジル、ピリミジルまたはピラジニル基であり；ならびに
ｎは、２、３、４または５である。）
の化合物またはその医薬適合性の塩である、ジペプチジルペプチダーゼＩＶ阻害剤またはそのプロドラッグの使用。
【請求項２】
ＸがＣＨ２である請求項１に記載の使用。
【請求項３】
前記ジペプチジルペプチダーゼＩＶ阻害剤またはそのプロドラッグが、α−アミノアシルピロリジンニトリルである、請求項１または２に記載の使用。
【請求項４】
前記ジペプチジルペプチダーゼＩＶ阻害剤またはそのプロドラッグが、（２Ｓ）−１−（２’Ｓ）−２’−アミノ−３’，３’−ジメチルブタノイル）ピロリジン−２−カルボニトリルまたはその医薬適合性の塩である、請求項１、２または３に記載の使用。
【請求項５】
前記ジペプチジルペプチダーゼＩＶ阻害剤またはそのプロドラッグが、（２Ｓ）−１−（（２’Ｓ）−２’−アミノ−５’−ピラジンカルボニルアミノペンタノイル）ピロリジン−２−カルボニトリルまたはその医薬適合性の塩である、請求項１、２または３に記載の使用。
【請求項６】
前記医薬組成物が、前記ジペプチジルペプチダーゼＩＶ阻害剤またはそのプロドラッグを１週間と３ヶ月の間の一定期間にわたって放出する、請求項１から５のいずれかに記載の使用。
【請求項７】
前記医薬組成物がデポー調合薬である、請求項６に記載の組成物。
【請求項８】
一般式１
【化２】
2004525179.tif 000002
（式中、
Ｘは、ＣＨ２およびＳから選択され；
Ｒ１は、Ｃ１〜Ｃ６アルキルおよび（ＣＨ２）ｎ）Ｒ３から選択され；
Ｒ２は、ＣＮであり；
Ｒ３は、ＮＨ−ＨｅｔおよびＮＨＣＯ−Ｈｅｔから選択され、ならびに
Ｈｅｔは、メチル、Ｃｌ、Ｆ、ＣＮおよびＣＦ３から独自に選択された２個以下の基で場合によっては置換されている、ピリジル、ピリミジルまたはピラジニル基であり；ならびに
ｎは、２、３、４または５である。）
の化合物またはその医薬適合性の塩であるジペプチジルペプチダーゼＩＶ阻害剤またはそのプロドラッグを、ＩＩ型糖尿病を発現する恐れがある、またはその初期段階にある個体に投与することを含む、
ＩＩ型糖尿病を発現する恐れがある、またはその初期段階にある個体を、前記疾病の発症および進行を遅らせるために処置する方法。
【請求項９】
前記ジペプチジルペプチダーゼＩＶ阻害剤またはそのプロドラッグの繰り返し用量が投与される請求項８に記載の方法。
【請求項１０】
前記個体がヒトである、請求項１から７のいずれかに記載の使用、または請求項８もしくは９の方法。
【請求項１１】
前記疾病の発症を遅らせるための、請求項１から７および１０のいずれかに記載の使用、または請求項８から１０のいずれか方法。
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
自己免疫疾患、重症アレルギー、喘息及び移植片拒絶から選択される免疫介在性の慢性若しくは急性の炎症疾患を治療するため又はアルツハイマー病のような慢性変性疾患を治療するための、或いは神経防御、臓器再生、皮膚の慢性潰瘍又は精神分裂症において使用する、医薬組成物を製造するための、(a) 飽和若しくはシス不飽和のＣ10〜Ｃ20脂肪族アルコール、又はそれらとＣ1〜Ｃ6アルカン酸とのエステル、(b) Ｃ2〜Ｃ8アルカンジオール又はグリセロールと、飽和若しくはシス不飽和のＣ10〜Ｃ20脂肪酸とのモノエステル；及び(c) グリセロールと飽和若しくはシス不飽和のＣ10〜Ｃ20脂肪酸とのジエステル、から選択される免疫調節物質の使用。
【請求項２】
前記免疫調節物質が、デシルアルコール、ラウリルアルコール、ミリスチルアルコール、セチルアルコール及びステアリルアルコールなどの飽和Ｃ10〜Ｃ20脂肪族アルコールである、請求項１に記載の使用。
【請求項３】
前記免疫調節物質が、オレイルアルコール、リノレイルアルコール、γ−リノレニルアルコール、及びリノレニルアルコールなどのシス不飽和Ｃ16〜Ｃ18脂肪族アルコールである、請求項１に記載の使用。
【請求項４】
前記免疫調節物質が、飽和若しくはシス不飽和のＣ10〜Ｃ20脂肪族アルコールとＣ1〜Ｃ6アルカン酸とのエステル、又は飽和若しくはシス不飽和のＣ10〜Ｃ20脂肪酸とＣ2〜Ｃ8アルカンジオールとのモノエステルであって、好ましくは前記アルカンジオールが、１，２−エチレングリコール、１，３−プロパンジオール及び１，４−ブタンジオールから選択される、請求項１に記載の使用。
【請求項５】
前記免疫調節物質が、グリセロールと飽和若しくはシス不飽和のＣ10〜Ｃ20脂肪酸とのモノエステル又はジエステルである、請求項１に記載の使用。
【請求項６】
前記脂肪酸が飽和Ｃ10〜Ｃ20脂肪酸である、請求項１、４及び５のいずれか１項に記載の使用。
【請求項７】
前記飽和Ｃ10〜Ｃ20脂肪酸が、カプリン酸、ラウリン酸、ミリスチン酸、パルミチン酸、ステアリン酸、及びアラキジン酸から選択される、請求項６に記載の使用。
【請求項８】
前記脂肪酸が、シス不飽和Ｃ10〜Ｃ20脂肪酸である、請求項１、４及び５のいずれか１項に記載の使用。
【請求項９】
前記シス不飽和Ｃ10〜Ｃ20脂肪酸が、パルミトレイン酸、オレイン酸、シス−バクセン酸、リノール酸、γ−リノレン酸、リノレン酸、及びアラキドン酸から選択される、請求項８に記載の使用。
【請求項１０】
前記免疫調節物質が、グリセリンモノオレアート又はグリセリンジオレアートである、請求項９の使用。
【請求項１１】
前記自己免疫疾患が、多発性硬化症又はヒト関節炎症状である、請求項１〜１０の何れか１項に記載の使用。
【請求項１２】
前記ヒト関節炎症状が、リウマチ様関節炎、ライテル症候群に伴う反応性関節炎、強直性脊椎炎、及び免疫系により仲介される他の関節炎症状から選択される、請求項１１の使用。
【請求項１３】
前記免疫介在性の炎症疾患が、重症筋無力症、ギランバレー症候群、及び神経系の他の炎症疾患；乾癬、尋常性天疱瘡、及び皮膚の他の炎症疾患；全身性エリテマトーデス、糸球体腎炎、及び腎臓を冒す他の炎症疾患；アテローム性動脈硬化症、及び血管の他の炎症疾患；自己免疫性肝炎、炎症性腸疾患、膵臓炎、及び消化器系の他の炎症疾患；Ｉ型糖尿病、自己免疫甲状腺炎、及び内分泌系の他の炎症疾患である、請求項１２の使用。
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
遊離塩基または酸付加塩の形態の、式Ｉ
【化１】
2004525178.tif 000001
〔式中、Ｒ１は式
【化２】
2004525178.tif 000002
（式中、Ｒ６は、(Ｃ１〜４)アルキルであり、Ｒ７およびＲ８は、独立して、水素または(Ｃ１〜４)アルキルであり、そしてＸは水素、(Ｃ１〜４)アルコキシ、(Ｃ１〜４)アルキルアミノまたはジ(Ｃ１〜４)アルキルアミノである。）
であり、
Ｒ２およびＲ３は、独立して、(Ｃ１〜４)アルコキシ(Ｃ１〜４)アルキルまたは(Ｃ３〜７)シクロアルキル(Ｃ１〜４)アルキルであるか、あるいは
Ｒ１が所望により置換されていてもよいフェニル基でないならば、(Ｃ１〜１２)アルキルであり、
Ｒ４は、水素、(Ｃ１〜４)アルキル、(Ｃ１〜４)アルコキシ、ハロゲンまたはトリフルオロメチルであり、そして
Ｒ５は、水素または(Ｃ１〜４)アルキルである。〕
の化合物。
【請求項２】
請求項１に記載の式Ｉの化合物またはその塩の製造方法であって、式ＩＩ
【化３】
2004525178.tif 000003
〔式中、Ｒ１、Ｒ４およびＲ５は請求項１において定義した通りである。〕
の化合物を、式ＩＩＩ
【化４】
2004525178.tif 000004
〔式中、Ｒ２およびＲ３は請求項１において定義した通りである。〕
の化合物と反応させること、および得られた遊離塩基または酸付加塩の形態の式Ｉの化合物を回収すること、を含んでなる方法。
【請求項３】
遊離塩基または酸付加塩の形態の、(Ｒ)−１,１−ビス−エトキシメチル−３−(４−フェニル−１Ｈ−イミダゾール−２−イル)−２,３,４,９−テトラヒドロ−１Ｈ−β−カルボリンである、請求項１に記載の化合物。
【請求項４】
医薬として使用するための、遊離塩基または薬学的に許容される酸付加塩の形態の、請求項１に記載の化合物。
【請求項５】
うつ病、不安および双極性障害の処置において使用するための、遊離塩基または薬学的に許容される酸付加塩の形態の請求項１に記載の化合物。
【請求項６】
医薬担体または希釈剤とともに、遊離塩基または薬学的に許容される酸付加塩の形態の請求項１に記載の化合物を含んでなる医薬組成物。
【請求項７】
同時的または逐次的投与のための、治療上有効量の遊離塩基または薬学的に許容される酸付加塩の形態の請求項１に記載の化合物、および第２の医薬物質を含んでなる組合せ剤。
【請求項８】
うつ病、不安および双極性障害の処置のための医薬としての、遊離塩基または薬学的に許容される酸付加塩の形態の請求項１に記載の化合物の使用。
【請求項９】
うつ病、不安および双極性障害の処置用医薬の製造のための、遊離塩基または薬学的に許容される酸付加塩の形態の請求項１に記載の化合物の使用。
【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
最低１０ｍｇ／ｍｌの水溶解性を有するモダフィニル化合物、およびシクロデキストリンの包接複合体。
【請求項２】
モダフィニル化合物に対するシクロデキストリンのモル比が約１０：１から約０．８：１までである、請求項１記載の包接複合体。
【請求項３】
シクロデキストリンが、α−シクロデキストリン、β−シクロデキストリン、γ−シクロデキストリン、ジメチル−β−シクロデキストリン、トリメチル−β−シクロデキストリン、２−ヒドロキシメチル−β−シクロデキストリン、２−ヒドロキシプロピル−β−シクロデキストリン、３−ヒドロキシプロピル−β−シクロデキストリン、β−シクロデキストリン硫酸、β−シクロデキストリンスルホン酸、もしくはβ−シクロデキストリンスルホブチルエーテルである、請求項１または２記載の包接複合体。
【請求項４】
モダフィニル化合物がモダフィニルであり、かつ、シクロデキストリンがβ−シクロデキストリンである、請求項３記載の包接複合体。
【請求項５】
モダフィニル化合物がモダフィニルの左旋性の形態である、請求項４記載の複合体。
【請求項６】
シクロデキストリンが２−ヒドロキシプロピル−β−シクロデキストリンである、請求項３記載の複合体。
【請求項７】
モダフィニル化合物に対するシクロデキストリンのモル比が約４：１である、請求項２記載の複合体。
【請求項８】
モダフィニル化合物に対するシクロデキストリンのモル比が約１：１である、請求項７記載の複合体。
【請求項９】
モダフィニル化合物が最低２０ｍｇ／ｍｌの水溶解性を有する、請求項１記載の複合体。
【請求項１０】
モダフィニル化合物の包接複合体およびシクロデキストリンを含んで成り、モダフィニル化合物が最低１０ｍｇ／ｍｌの水溶解性を有する、医薬組成物。
【請求項１１】
モダフィニル化合物が最低２０ｍｇ／ｍｌの水溶解性を有する、請求項１０記載の組成物。
【請求項１２】
モダフィニル化合物に対するシクロデキストリンのモル比が約１０：１から約０．８：１までである、請求項１０記載の組成物。
【請求項１３】
モダフィニル化合物に対するシクロデキストリンのモル比が約４：１である、請求項１２記載の組成物。
【請求項１４】
モダフィニル化合物に対するシクロデキストリンのモル比が約１：１である、請求項１３記載の組成物。
【請求項１５】
哺乳動物に経口で投与したときに、固体用量のモダフィニル化合物と比較して最低２５％のモダフィニル化合物の血液血清レベルの増大をもたらす、請求項１０記載の組成物。
【請求項１６】
投与の最初の１時間以内に、哺乳動物中で、固体用量のモダフィニル化合物と比較して最低５０％のモダフィニル化合物の血液血清レベルの増大をもたらす、請求項１５記載の組成物。
【請求項１７】
組成物が溶液の形態である、請求項１５または１６記載の組成物。
【請求項１８】
シクロデキストリンが、α−シクロデキストリン、β−シクロデキストリン、γ−シクロデキストリン、ジメチル−β−シクロデキストリン、トリメチル−β−シクロデキストリン、２−ヒドロキシメチル−β−シクロデキストリン、２−ヒドロキシプロピル−β−シクロデキストリン、３−ヒドロキシプロピル−β−シクロデキストリン、β−シクロデキストリン硫酸、β−シクロデキストリンスルホン酸、もしくはβ−シクロデキストリンスルホブチルエーテルである、請求項１０記載の組成物。
【請求項１９】
モダフィニル化合物がモダフィニルであり、かつ、シクロデキストリンがβ−シクロデキストリンである、請求項１８記載の組成物。
【請求項２０】
モダフィニル化合物がモダフィニルの左旋性の形態である、請求項１９記載の組成物。
【請求項２１】
シクロデキストリンが２−ヒドロキシプロピル−β−シクロデキストリンである、請求項２０記載の組成物。
【請求項２２】
水性５０％ヒドロキシプロピル−β−シクロデキストリン溶液中にモダフィニルを含んで成る、請求項２０記載の組成物。
【請求項２３】
図１の血液血清プロフィルを実質的に有する、請求項１０記載の組成物。
【請求項２４】
組成物が溶液の形態である、請求項１０記載の組成物。
【請求項２５】
組成物が水性でありかつ経口消費に適する、請求項２４記載の組成物。
【請求項２６】
組成物がシロップ剤もしくはエリキシル剤である、請求項２４記載の組成物。
【請求項２７】
包接複合体が固体の形態である、請求項１０記載の組成物。
【請求項２８】
組成物が錠剤もしくはカプセル剤の形態である、請求項２７記載の組成物。
【請求項２９】
モダフィニルの１もしくはそれ以上の単位用量を含んで成る、請求項１０記載の組成物。
【請求項３０】
１単位用量のモダフィニルを含んで成る、請求項２９記載の組成物。
【請求項３１】
単位用量が２００ｍｇのモダフィニルである、請求項３０記載の組成物。
【請求項３２】
単位用量が１００ｍｇのモダフィニルである、請求項３０記載の組成物。
【請求項３３】
モダフィニル化合物が味遮蔽される、請求項１０、１９または２０記載の組成物。
【請求項３４】
組成物がシロップ剤もしくはエリキシル剤である、請求項３３記載の組成物。
【請求項３５】
水性媒体中でモダフィニル化合物をシクロデキストリンと接触させることを含んで成る、最低１０ｍｇ／ｍｌの水溶解性を有するモダフィニル化合物およびシクロデキストリンの包接複合体の製造方法。
【請求項３６】
包接複合体が乾燥されかつ固体として単離される、請求項３５記載の方法。
【請求項３７】
治療上有効な量のモダフィニル化合物およびシクロデキストリンの組成物を被験体に投与することを含んで成る、被験体における疾患もしくは障害の治療方法。
【請求項３８】
組成物が、眠気、疲労、パーキンソン病、脳虚血、卒中、睡眠時無呼吸、摂食障害、注意欠陥多動障害、認識機能不全もしくは疲労感の治療；および覚醒状態の促進、食欲の刺激もしくは体重増加の刺激のため投与される、請求項３７記載の方法。
【請求項３９】
組成物が経口で投与される、請求項３８記載の方法。
【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
ケラチン繊維の硬化、強化および構造回復、再生あるいは安定化のための薬剤、あるいはケラチン繊維の体積の改善のための薬剤における、クレアチン、クレアチニンおよび／あるいはこれらの塩および／あるいはこれらの誘導体の使用であって、クレアチン誘導体あるいはクレアチニン誘導体は下記一般式で表される化合物の中から選択されることを特徴とする使用。
【化１】
2004525137.tif 000001
（ここでＲ１およびＲ２は、互いに無関係に、Ｈ、−ＣＨ３、−ＣＨ２ＣＨ３あるいは直鎖あるいは分枝鎖Ｃ３ないしＣ２２のアルキル基を意味し、ｎ＝１あるいは２である。）
【請求項２】
クレアチン、クレアチニンおよび／あるいはこれらの塩を使用することを特徴とする、請求項１に記載の使用。
【請求項３】
クレアチン誘導体あるいはクレアチニン誘導体および／あるいはこれらの塩がクレアチンホスヘート、シクロクレアチン、ホスホシクロクレアチン、グアニジン−アセテート、３−グアニジンプロピオン酸、グアニジン−アスコルベートおよびクレアチン−ピルベートの中から選択されることを特徴とする、請求項１に記載の使用。
【請求項４】
疲労および／あるいは損傷したケラチン繊維における、請求項１ないし３いずれか１項に記載の使用。
【請求項５】
ケラチン繊維が化学的および／あるいは物理的有毒物に曝される前に、曝される間に、あるいは曝された後に、薬剤をケラチン繊維と接触させることを特徴とする、請求項１ないし４いずれか１項に記載の使用。
【請求項６】
ケラチン繊維の化学的および／あるいは物理的処理の前の前処理剤における請求項５に記載の使用。
【請求項７】
ケラチン繊維の再生（構造回復）に対して、あるいはケラチン繊維の内部構造の損傷回避あるいは予防に対する、請求項１ないし６いずれか１項に記載の使用。
【請求項８】
化学的処理に染色、調色、脱色あるいはパーマネント加工が含まれることを特徴とする、請求項１ないし７いずれか１項に記載の使用。
【請求項９】
反応しやすい、脆弱な  および／あるいは細いケラチン繊維の理容処理に対する請求項１ないし８いずれか１項に記載の使用。
【請求項１０】
ケラチン繊維の体積増大あるいは実質量増大に対する請求項１ないし９いずれか１項に記載の使用。
【請求項１１】
クレアチン、クレアチニンおよび／あるいはこれらの誘導体および／あるいはこれらの塩が、薬剤中、全重量に関して、０．００１ないし３０．０重量パーセント含有されていることを特徴とする、請求項１ないし１０いずれか１項に記載の使用。
【請求項１２】
クレアチン、クレアチニンおよび／あるいはこれらの誘導体および／あるいはこれらの塩が、薬剤中、全重量に関して、０．０５ないし１．０重量パーセント含有されていることを特徴とする、請求項１ないし１１いずれか１項に記載の使用。
【請求項１３】
薬剤が溶液、乳化液、泡、クリームあるいはゲルの形態で提供されることを特徴とする、請求項１ないし１２いずれか１項に記載の使用。
【請求項１４】
ケラチン繊維が人毛であることを特徴とする、請求項１ないし１３いずれか１項に記載の使用。
【請求項１５】
薬剤を２０℃ないし６０℃の温度において１ないし６０分間ケラチン繊維と接触させることを特徴とする、請求項１ないし１４いずれか１項に記載の使用。
【手続補正２】
【補正対象書類名】明細書
【補正対象項目名】００１７
【補正方法】変更
【補正の内容】
【００１７】
これらの他に有用な物質として、クレアチン−ホスヘート、シクロクレアチン、ホスホシクロクレアチン、グアニジン−アセテート、３−グアニジン−プロピオン酸、グアニジン−アスコルベートおよびクレアチン−ピルベートが挙げられる。
【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
抗原の免疫原性を高める薬剤を製造するためのキットであって、
抗原、またはその一もしくは複数のエピトープ、および
リンパ系器官における抗原保有樹状細胞の数を増加させるのに十分な量の局所処置手段を含むキットの使用。
【請求項２】
前記局所処置手段は、角質層を通過することが可能で、かつ未熟樹状細胞を排出リンパ系器官に遊走させることが可能な親油性分子を含む、請求項１に記載のキットの使用。
【請求項３】
前記親油性分子は、下記式
【化１】
2004525131.tif 000001
（式中、
Ｒ1およびＲ2は、独立して、１〜１６個の炭素原子を含有するアルキル側鎖、Ｃ1〜Ｃ16置換アルキル、Ｃ3〜Ｃ10シクロアルキル、Ｃ3〜Ｃ10置換シクロアルキル、Ｃ2〜Ｃ10アルケニル、Ｃ2〜Ｃ10置換アルケニル、Ｃ2〜Ｃ10アルキニル、Ｃ2〜Ｃ10置換アルキニルであり、
Ｒ3、Ｒ3’、Ｒ4、およびＲ4’は、独立して、水素原子、ヒドロキシ基、ハロゲノ基、１〜１６個の炭素原子を含有するアルキル側鎖、Ｃ1〜Ｃ16置換アルキル、Ｃ3〜Ｃ10シクロアルキル、Ｃ3〜Ｃ10置換シクロアルキル、Ｃ2〜Ｃ10アルケニル、Ｃ2〜Ｃ10置換アルケニル、Ｃ2〜Ｃ10アルキニル、Ｃ2〜Ｃ10置換アルキニル、Ｃ7〜Ｃ16フェニルアルキル
、Ｃ7〜Ｃ16置換フェニルアルキル、フェニル、置換フェニル、ナフチル、および置換ナフチルからなる群から選択され、
Ｘは、酸素または窒素原子であり、
Ｗは、Ｃ1〜Ｃ10アルキル、Ｃ1〜Ｃ10置換アルキル、Ｃ7〜Ｃ10フェニルアルキル、Ｃ7〜Ｃ16置換フェニルアルキル、フェニル、置換フェニル、ナフチル、置換ナフチル、Ｃ3〜Ｃ7シクロアルキル、およびＣ3〜Ｃ7置換シクロアルキル基から構成される飽和または不飽和鎖であり、かつ該鎖の各末端は、炭素Ｃ（Ｒ3Ｒ3’）およびＣ（Ｒ4Ｒ4’）に結合される）
から選択される、請求項２に記載のキットの使用。
【請求項４】
Ｗは、窒素、硫黄、および酸素からなる群から選択される１つまたは複数のヘテロ原子を、組み合わせてまたは独立して含む、請求項３に記載のキットの使用。
【請求項５】
Ｒ1およびＲ2基は同一のＣ1〜Ｃ6アルキル部分である、請求項３に記載のキットの使用。
【請求項６】
Ｒ1およびＲ2は（ＣＨ2）3−ＣＨ3である、請求項３に記載のキットの使用。
【請求項７】
Ｘは酸素であり、Ｒ3およびＲ4は、結合してＷ鎖を含む環構造を形成しており、該環構造は、飽和もしくは不飽和のＣ3〜Ｃ10シクロアルキル、Ｃ3〜Ｃ10置換シクロアルキル、Ｃ7〜Ｃ16フェニルアルキル、Ｃ7〜Ｃ16置換フェニルアルキル、フェニル、置換フェニル、ナフチル、または置換ナフチルを含む、請求項３に記載のキットの使用。
【請求項８】
前記環構造はアリール基である、請求項７に記載のキットの使用。
【請求項９】
前記環構造は、窒素、硫黄、および酸素からなる群から選択される１つまたは複数のヘテロ原子を含む、請求項７に記載のキットの使用。
【請求項１０】
前記親油性分子はテルペンを含む、請求項３に記載のキットの使用。
【請求項１１】
前記親油性分子は、フタル酸ジブチル、Ｄ−酒石酸ジブチル、Ｎ，Ｎ−ジエチル−トルアミド、フマル酸ジブチル、フマル酸ジ（２−エチルヘキシル）、マレイン酸ジイソオクチル、マレイン酸ジエチルヘキシル、フマル酸ジイソオクチル、安息香酸、マレイン酸ビフェニル、フタル酸ジオクチル、マレイン酸ジブチル、マレイン酸ジオクチル、コハク酸ジブチル、コハク酸ジオクチル、フタル酸ジノニル、フタル酸ジイソノニル、フタル酸ジメチル、フタル酸ジエチル、フタル酸ジプロピル、フタル酸ジフェニル、フタル酸ジベンジルブチル、フタル酸ジエチルメチル、およびショウノウからなる群から選択される、請求項２に記載のキットの使用。
【請求項１２】
前記親油性分子は５００ダルトン以下である、請求項２に記載のキットの使用。
【請求項１３】
前記親油性分子は油／水分配係数が１より大きい、請求項２に記載のキットの使用。
【請求項１４】
前記親油性分子は油／水分配係数がほぼ１０〜ほぼ１０6である、請求項１３に記載のキットの使用。
【請求項１５】
前記局所処置手段は有機溶媒をさらに含む、請求項２に記載のキットの使用。
【請求項１６】
前記有機溶媒はアセトンである、請求項１５に記載のキットの使用。
【請求項１７】
前記抗原またはその１もしくは複数のエピトープは、前記抗原またはその１もしくは複数のエピトープを発現するウイルス、細菌、真菌、または寄生虫により、哺乳動物に導入される、請求項１に記載のキットの使用。
【請求項１８】
前記抗原またはその１もしくは複数のエピトープは、経口摂取、角質層の破壊または注射により前記哺乳動物に導入される、請求項１に記載のキットの使用。
【請求項１９】
前記注射は、表皮内、真皮内、皮下、筋内、血管内注射、または特定の器官への注射からなる群から選択される経路により行われる、請求項１に記載のキットの使用。
【請求項２０】
前記抗原またはその１もしくは複数のエピトープは、気道、尿生殖路、または胃腸管の少なくとも一部へ送達することにより、前記哺乳動物に導入される、請求項１に記載のキットの使用。
【請求項２１】
前記抗原またはその１もしくは複数のエピトープは、前記抗原またはその１もしくは複数のエピトープを含む細胞を移入することにより、前記哺乳動物に導入される、請求項１に記載のキットの使用。
【請求項２２】
前記抗原またはその１もしくは複数のエピトープは、前記哺乳動物にとって内因性であり、かつ正常または病的である、請求項１に記載のキットの使用。
【請求項２３】
前記局所処置手段の量は、前記リンパ系器官における抗原保有樹状細胞の数を、未処置哺乳動物に常在する樹状細胞の数のほぼ２〜ほぼ１０００倍に増加させるのに十分である、請求項１に記載のキットの使用。
【請求項２４】
前記リンパ系器官における抗原保有樹状細胞の数が、未処理哺乳動物に常在する樹状細胞の数のほぼ５〜ほぼ１００倍に増加される、請求項２３に記載のキットの使用。
【請求項２５】
前記局所処置手段の量は、樹状細胞の遊走および成熟を誘導する内因性物質の局部放出を高めるのに十分であることをさらに特徴とする、請求項１に記載のキットの使用。
【請求項２６】
前記局所処置手段の量は、接着分子の原形質膜発現または機能を変更させるのに十分であることをさらに特徴とする、請求項１に記載のキットの使用。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
適当な担体および有効量のアニオン性リポソームを含む象牙質の過敏症を治療するための歯用組成物であって、該アニオン性リポソームが象牙質小管中の鉱物質形成を誘導し、そのことにより小管を閉塞しうる点でユニークなものであり、該リポソームが象牙質小管よりも大きくない直径を有する結果、該小管中に浸透し、保持されるものである組成物。
【請求項２】
該リポソームが約２ミクロンよりも大きくない直径を有するものである請求項１記載の歯用組成物。
【請求項３】
該リポソームがジオーリルホスファチジン酸のカリウム塩を含むものである請求項１記載の歯用組成物。
【請求項４】
該リポソームが約０．１ないし２０重量パーセントで存在している請求項１記載の歯用組成物。
【請求項５】
該リポソームがさらに少なくとも１種の他の象牙質過敏症治療用薬剤を提供するものである請求項１記載の歯用組成物。
【請求項６】
該他の薬剤が神経脱感作剤である請求項５記載の歯用組成物。
【請求項７】
該神経脱感作剤が、少なくとも１種のカリウム塩、カプサイシン、オイゲノールおよびそれらの混合物からなる群より選択されるものである請求項６記載の歯用組成物。
【請求項８】
該少なくとも１種のカリウム塩が、重炭酸カリウム、クエン酸カリウム、塩化カリウムおよび硝酸カリウムからなる群より選択されるものである請求項７記載の歯用組成物。
【請求項９】
該神経脱感作剤のほかに口腔ケア処方において有用な少なくとも１種のさらなる治療薬剤を含む請求項６記載の歯用組成物。
【請求項１０】
生理学的に許容されるフッ化物イオン源をさらに含む請求項１記載の歯用組成物。
【請求項１１】
該生理学的に許容されるフッ化物イオン源が、フッ化第１スズ、フッ化ナトリウム、フッ化カリウムおよびそれらの混合物からなる群より選択されるものである請求項１０記載の歯用組成物。
【請求項１２】
さらに神経脱感作剤を含む請求項１０記載の歯用組成物。
【請求項１３】
該神経脱感作剤が、少なくとも１種のカリウム塩、カプサイシン、オイゲノールおよびそれらの混合物からなる群より選択されるものである請求項１２記載の歯用組成物。
【請求項１４】
該神経脱感作剤のほかに口腔ケア処方において有用な少なくとも１種のさらなる治療薬剤を含む請求項１２記載の歯用組成物。
【手続補正書】
【提出日】平成17年2月8日(2005.2.8)
【手続補正１】
【補正対象書類名】明細書
【補正対象項目名】請求項１
【補正方法】変更
【補正の内容】
【請求項１】
ａ）グリセリン
ｂ）少なくとも１種類のジカルボン酸および
ｃ）式（Ｉ）
Ｒ1 −ＣＯＯＨ                        （Ｉ）
［式中、Ｒ1 は（Ｃ5 〜Ｃ29）−アルキル、（Ｃ7 〜Ｃ29）−アルケニル、フェニルまたはナフチルである］
で表される少なくとも１種類のモノカルボン酸ｃ）
を共重合することによって得られる少なくとも１種類のコポリマーを含有する農薬調製物において、上記コポリマーが１９．９〜９９重量％の成分ａ）、０．１〜３０重量％の成分ｂ）および０．９〜８０重量％の成分ｃ）を含有する、上記農薬調製物。
【手続補正２】
【補正対象書類名】明細書
【補正対象項目名】０００８
【補正方法】変更
【補正の内容】
【０００８】
国際特許出願公開第９９／０５９１４号明細書によるとアニオン系農薬の効力の向上は、アニオン系有効物質を水性コロイド状分散物としてのプロトン化ポリアミンと一緒に製剤化することによって達成できる。
【手続補正３】
【補正対象書類名】明細書
【補正対象項目名】００３３
【補正方法】変更
【補正の内容】
【００３３】
１００％濃度コポリマーの粘度は回転式粘度計で６０℃で測定して好ましくは１５００ｍＰａ．ｓ〜３５０００ｍＰａ．ｓの範囲にある。しかしながら更に高い粘度は物質の取扱を困難にする。７５〜９０重量％の水溶液としてコポリマーを取り扱うのが特に有利である。
【手続補正４】
【補正対象書類名】明細書
【補正対象項目名】００４０
【補正方法】変更
【補正の内容】
【００４０】
共重合体は農薬製剤中の補助剤として除草剤、殺虫剤、防カビ剤、殺ダニ剤、殺菌剤、ナメクジ駆除剤、殺線虫剤または殺そ剤として適している。コポリマーは除草剤製剤中で使用するのが特に有利である。
【手続補正５】
【補正対象書類名】明細書
【補正対象項目名】００６４
【補正方法】変更
【補正の内容】
【００６４】
高い電解質安定性の他に、コポリマーを本発明に従って使用することが親水性物質と植物の親油性表皮との相容性および接触性を向上させる作用をもたらす。本発明の農薬製剤の良好な湿潤性および吸収性は植物中で作用物質の生理活性を補助する。
【手続補正６】
【補正対象書類名】明細書
【補正対象項目名】００６８
【補正方法】変更
【補正の内容】
【００６８】
コポリマーＩ〜Ｖの製造：
ｎ＝９．７のポリグリセリンの製造：
２０００ｇのグリセリンおよび６．０ｇのＮａＯＨ（５０％濃度）を窒素導入手段および水分離器を備えた攪拌式装置中で２７０℃に加熱する。９時間の反応時間および４４４ｇの水の放出の後にサンプルを採り、ＯＨ価を測定する。測定されたＯＨ−価は８９１ｍｇ（ＫＯＨ）／ｇである。これはｎ＝９．７グリセリン単位の平均縮合度に相当する。この縮合度は反応混合物の粘度または屈折率によってほぼ測定できる。この目的のために予め補正曲線を作成しなければならない。
【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
ヴィティス  ラブルスカ（Ｖｉｔｉｓ  ｌａｂｒｕｓｃａ）およびヴィティス  ヴィニフェラ（Ｖｉｔｉｓ  ｖｉｎｉｆｅｒａ）の果皮の浸出物を得るためのプロセスであって、以下の工程：
ａ）果実を果皮および果肉に分離する工程；
ｂ）工程（ａ）で得られた該果皮を、水道水中で３分間洗浄する工程；
ｃ）工程（ｂ）の該果皮を、３〜１０分間の煮沸水中での抽出のプロセスに供して、浸出物を得る工程；
ｄ）細分機を用いて、３〜５分間、工程（ｃ）の該浸出物を細分し（ｍｉｎｃｅ）、そして室温または４℃で、６時間〜１０日間、浸して柔らかくする（ｍａｃｅｒａｔｅ）工程；
ｅ）０．２〜１ｍｍの細孔を有するシーブ中で、続いて濾紙で、工程（ｄ）において得られた該浸漬物を濾過する工程；
ｆ）回転エバポレーター中で、低圧で、かつ３５〜５０℃の温度で、工程（ｅ）において得られた液相を濃縮する工程；
ｇ）薬理学的な活性を有する、該浸出物の凍結乾燥物を得るために、該濃縮された液相を凍結乾燥する工程；
によって特徴付けられる、プロセス。
【請求項２】
工程（ｃ）の該抽出が５分間かかる、請求項１に記載のプロセス。
【請求項３】
該浸して柔らかくする時間が２４時間である、請求項１に記載のプロセス。
【請求項４】
該液相の濃縮（工程ｆ）が４０℃で得られる、請求項１に記載のプロセス。
【請求項５】
水−アルコール抽出物を得るためのプロセスであって、請求項１に記載の工程（ｃ）において得られた浸出物がさらに、１：１（ｖ：ｖ）の割合で溶媒としてのエタノールを用いて抽出され、３〜５分間の間、強力に細分され、ついで、室温または４℃で６時間〜１０日間浸して柔らかくされ、これによって、該浸出物の水−アルコール抽出物が得られる、プロセス。
【請求項６】
該浸漬物が、０．２〜１．０ｍｍの細孔を有するシーブを通して、続いて濾紙で濾過される、請求項５に記載のプロセス。
【請求項７】
得られる液相が、回転エバポレーター中で、低圧で、かつ３５〜５０℃の温度で濃縮される、請求項６に記載のプロセス。
【請求項８】
該濃縮後の液相が、凍結乾燥されて、薬力学的な活性を有する、該浸出物の水−アルコール抽出物の凍結乾燥物が得られる、請求項７に記載のプロセス。
【請求項９】
水−アルコール−酢酸エチル抽出物を得るためのプロセスであって、請求項１に記載の工程（ｃ）において得られた浸出物がさらに、１：１：１（ｖ；ｖ；ｖ）の割合で溶媒としてのエタノールおよび酢酸エチルを用いて抽出され、３〜５分間の間、強力に細分され、ついで、室温または４℃で６時間〜１０日間浸して柔らかくされ、該浸出物の水−アルコール−酢酸エチル抽出物が得られる、プロセス。
【請求項１０】
該得られた浸漬物が、０．２〜１．０ｍｍの細孔を有するシーブ中で、次いで濾紙で濾過される、請求項９に記載のプロセス。
【請求項１１】
得られる液相が、回転エバポレーター中で、低圧で、かつ３５〜５０℃の温度で濃縮される、請求項１０に記載のプロセス。
【請求項１２】
該濃縮後の液相が、凍結乾燥されて、薬力学的な活性を有する、該浸出物の水−アルコール−酢酸エチル抽出物の凍結乾燥物が得られる、請求項１１に記載のプロセス。
【請求項１３】
薬学的調製物であって、２００〜５００ｍｇのヴィティス  ラブルスカ（Ｖｉｔｉｓ  ｌａｂｒｕｓｃａ）またはヴィティス  ヴィニフェラ（Ｖｉｔｉｓ  ｖｉｎｉｆｅｒａ）の浸出物の凍結乾燥物、ならびにさらに、２００ｍｇのコーンアミド、および０．５ｍｇのコロイド状二酸化ケイ素を含む、薬学的調製物。
【請求項１４】
薬学的調製物であって、２００〜５００ｍｇのヴィティス  ラブルスカ（Ｖｉｔｉｓ  ｌａｂｒｕｓｃａ）またはヴィティス  ヴィニフェラ（Ｖｉｔｉｓ  ｖｉｎｉｆｅｒａ）の浸出物から得られた水−アルコール抽出物の凍結乾燥物、ならびにさらに、２００ｍｇのコーンアミド、および０．５ｍｇのコロイド状二酸化ケイ素を含む、薬学的調製物。
【請求項１５】
薬学的調製物であって、２００〜５００ｍｇのヴィティス  ラブルスカ（Ｖｉｔｉｓ  ｌａｂｒｕｓｃａ）またはヴィティス  ヴィニフェラ（Ｖｉｔｉｓ  ｖｉｎｉｆｅｒａ）の浸出物から得られた水−アルコール−酢酸エチル抽出物の凍結乾燥物、ならびにさらに、２００ｍｇのコーンアミド、および０．５ｍｇのコロイド状二酸化ケイ素を含む、薬学的調製物。
【請求項１６】
請求項１３、１４、および１５に記載された薬学的調製物の治療的適応であって、動脈性高血圧症および動脈性高血圧症によって誘発される疾患の予防および処置において指示される、治療的適応。
【請求項１７】
該薬学的調製物が、ヒトの適用および獣医の適用を有する、請求項１６に記載の治療的適応。
【手続補正書】
【提出日】平成17年1月31日(2005.1.31)
【手続補正１】
【補正対象書類名】明細書
【補正対象項目名】００２７
【補正方法】変更
【補正の内容】
【００２７】
皮質ウェッジを二区画のバスに置き、二区画間に高い抵抗力を有する密封が形成されるように位置された障壁に高圧シリコングリースを塗った。酸化されたACSFを二区画を通して各々1分当り2mlの速度で少なくとも1時間灌流させた。細辛抽出物10μg/ml(分画1、2、3、又は4)はAMPA(40μM)を2分間適用する前に、10分間灌流させた。細辛抽出物とAMPAは皮質区画に適用した。二区画間のDC.電位をAg/AgCl電極でモニターした。シグナルを増幅し、メクラブソフトウェアー(Mclab software)で分析した。
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
ペプチドの経口送達のための医薬組成物であって、
少なくとも１つの薬学的に許容されるｐＨ低下剤を含む第１層および医療上有効な量のペプチドを含む第２層を有する形成層；
該ペプチドのバイオアベイラビリティを促進するのに有効な少なくとも１つの吸収向上剤；および
形成層の周りに腸溶性被膜；
なお、該第１層および該第２層は、該形成層中で実質的に完全に分離されて、ｐＨ低下剤とペプチドとの形成層中における相互作用を実質的に防ぐものである；
を含む医薬組成物。
【請求項２】
該第２層が該吸収向上剤をさらに含む、請求項１の医薬組成物。
【請求項３】
該医薬組成物が、該形成層の周りで該形成層と該腸溶性被膜との間に位置する水溶性被膜をさらに含む、請求項１の医薬組成物。
【請求項４】
該腸溶性被膜が、医薬組成物の該腸溶性被膜を除く残留物重量の２０％を越えない重量で存在する、請求項１の医薬組成物。
【請求項５】
該腸溶性被膜が、医薬組成物の該腸溶性被膜を除く残留物重量の５−１５％の重量で存在する、請求項１の医薬組成物。
【請求項６】
該吸収向上剤が界面活性剤である、請求項１の医薬組成物。
【請求項７】
該界面活性剤が吸収性またはバイオ分解性である、請求項６の医薬組成物。
【請求項８】
該界面活性剤をアシルカルニチン、ホスホリピド、胆汁酸よりなる群から選択する、請求項６の医薬組成物。
【請求項９】
該界面活性剤がラウロイル １-カルニチンを含む、請求項６の医薬組成物。
【請求項１０】
該ペプチドがサケ・カルシトニンを含む、請求項１の医薬組成物。
【請求項１１】
該ｐＨ低下剤を、０.１Ｍ炭酸水素ナトリウム水溶液１０ｍｌのｐＨを５.５以下に低下するのに十分な量で加える、請求項１０の医薬組成物。
【請求項１２】
賦形剤をさらに含む、請求項１の医薬組成物。
【請求項１３】
該賦形剤が微結晶性セルロースを含む、請求項１２の医薬組成物。
【請求項１４】
該ｐＨ低下剤がクエン酸を含む、請求項１の医薬組成物。
【請求項１５】
経口送達されたペプチドのバイオアベイラビリティを高める方法であって、
該ペプチドが、少なくとも１つのｐＨ低下剤および少なくとも１つの吸収向上剤とともに、腸溶皮膜および水溶性皮膜の保護のもとに、患者の口および胃を経て該ペプチド、ｐＨ低下剤、吸収向上剤が通過した後に患者の腸に選択的に放出されること；
なお、該腸溶性被膜は胃プロテアーゼと該ペプチドとの接触を実質的に防ぎ；
該水溶性皮膜は該ｐＨ低下剤と該腸溶性被膜との接触を実質的に防ぎ；および
該ペプチドおよびｐＨ低下剤は、該腸溶皮膜および水溶性皮膜中で実質的に分離されて、ｐＨ低下剤とペプチドとの皮膜中における相互作用を実質的に防ぐものである；
を含む方法。
【請求項１６】
該ｐＨ低下剤が、０.１Ｍ炭酸水素ナトリウム水溶液１０ｍｌのｐＨを５.５以下に低下するのに十分な量で該医薬組成物中に存在する、請求項１５の方法。
【請求項１７】
ペプチドの経口送達のための錠剤投与形であって、
少なくとも１つの薬学的に許容されるｐＨ低下剤を含む第１層、および医療上有効な量のペプチドを含む第２層を有する形成層；
該ペプチドのバイオアベイラビリティの促進に有効な少なくとも１つの吸収向上剤；
該形成層上で形成された水溶性被膜；および
該水溶性被膜上で形成された腸溶性被膜、なお、該水溶性被膜は該ｐＨ低下剤と該腸溶性被膜との接触を実質的に防ぐ；
なお、該第１層および該第２層は、該形成層中で実質的に分離されて、ｐＨ低下剤とペプチドとの形成層中における相互作用を実質的に防ぐものである；
を含む投与形。
【請求項１８】
該ペプチドがサケ・カルシトニンを含む、請求項１７の投与形。
【請求項１９】
該ｐＨ低下剤が、０.１Ｍ炭酸水素ナトリウム水溶液１０ｍｌのｐＨを５.５以下に低下するのに十分な量で存在する、請求項１８の投与形。
【請求項２０】
該ｐＨ低下剤がクエン酸を含む、請求項１７の投与形。
【請求項２１】
該吸収向上剤がラウロイル １-カルニチンを含む、請求項１７の投与形。
【請求項２２】
該水溶性被膜がヒドロキシプロピルメチルセルロースを含む、請求項１７の投与形。
【請求項２３】
該腸溶性被膜がメタアクリル酸とメタアクリル酸塩の重合物である、請求項１７の投与形。
【請求項２４】
該第１層が崩壊剤をさらに含む、請求項１７の投与形。
【請求項２５】
該崩壊剤がクロスカルメロース・ナトリウムを含む、請求項１７の投与形。
【請求項２６】
該ペプチドがサケ・カルシトニンを含み；
該ｐＨ低下剤が、０.１Ｍ炭酸水素ナトリウム水溶液１０ｍｌのｐＨを５.５以下に低下するのに十分な量で存在するクエン酸を含み；
該吸収向上剤がラウロイル １-カルニチンを含み；
該水溶性被膜がヒドロキシプロピルメチルセルロースを含み；
該腸溶性被膜がメタアクリル酸とメチルメタアクリル酸塩の重合物を含み；
第２層がクロスカルメロース・ナトリウムをさらに含む；
請求項１７の投与形。
【請求項２７】
投与形をつくる方法であって、下記の工程：
ｐＨ低下剤を顆粒化して、第１層材料をつくること；
ペプチドおよび少なくとも１つの吸収向上剤を組合せて第２層材料をつくること；
該第１層材料を鋳型に加え、そして該第１層材料を少なくとも部分的に圧縮して、第１層をつくること；
該第２層材料を鋳型に加えること；
該第１層材料および該第２層材料をともに圧縮して、２層を有する形成層をつくること、なお、該第１層および該第２層は、該形成層中で実質的に完全に分離されて、ｐＨ低下剤とペプチドとの形成層中における相互作用を実質的に防ぐものである；
該形成層を水溶性被膜で被覆して、被覆された形成層をつくること；
該被覆された形成層に腸溶性被膜を適用して、錠剤をつくること、なお、該水溶性被膜は該第１層材料と該腸溶性被膜との接触を実質的に防ぐものである；
を含む方法。
【請求項２８】
該第２層材料を該鋳型に加える前に該第１層材料を部分的に圧縮する、請求項２７の方法。
【請求項２９】
組合せ工程が、賦形剤を該ペプチドおよび該吸収向上剤と組合すことをさらに含む、請求項２７の方法。
【請求項３０】
該賦形剤が微結晶性セルロースを含む、請求項２９の方法。
【手続補正書】
【提出日】平成16年10月25日(2004.10.25)
【手続補正１】
【補正対象書類名】特許請求の範囲
【補正対象項目名】全文
【補正方法】変更
【補正の内容】
【特許請求の範囲】
【請求項１】
結晶形態Ｉの固体としての式（Ｉ）
【化１】
2004525111.tif 000001
のデプシペプチドを含んでなる薬品。
【請求項２】
有効量の結晶形態Ｉの式（Ｉ）
【化３】
2004525111.tif 000002
のデプシペプチドを動物に投与する段階を含んでなる動物における体内寄生体の抑制方法。
【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
少なくとも１本の絡み合った有機繊維を含み、第１の主面を有する不織三次元繊維ウェブ、又は第１の主面を有するフォームパッドと、
ショアＡ硬度が８０未満である複数の有機ゴム粒子と、
該第１の主面の少なくとも一部の上にあるバインダーであって、Ｔｇが＋１０℃以下であり、少なくとも部分的に該有機粒子を該第１の主面と接合させるバインダーと、
を有するクリーニング物品。
【請求項２】
航空機の汚れた外面のクリーニング方法であって、
第１の主面および該第１の主面の少なくとも一部上に＋１０℃以下のＴｇを有するバインダーを有し、少なくとも１本の絡み合った有機繊維を有する少なくとも厚さ８ｍｍの不織三次元繊維ウェブを有し、該バインダーを含み、湿潤時動摩擦係数が０．３〜０．９の範囲内である作用面をさらに有する請求項１記載のクリーニング物品を提供する工程と、
クリーニング物品の作用面の少なくとも一部を、航空機の汚れた外面と摩擦係合させる工程と、
汚れた外面から汚れを少なくとも部分的に除去するために、クリーニング物品と汚れた外面との間の相対運動を誘導する工程と、
を包含する方法。
【手続補正書】
【提出日】平成17年4月21日(2005.4.21)
【手続補正１】
【補正対象書類名】明細書
【補正対象項目名】０００２
【補正方法】変更
【補正の内容】
【０００２】
本出願には、以下に示す各特許出願の全体が、参考として組み込まれているものとする：1999年6月2日に出願されたアメリカ合衆国特許出願シリアル番号第09/324,452号、2000年11月28日に出願されたアメリカ合衆国特許出願シリアル番号第09/723,715号、1999年6月2日に出願されたアメリカ合衆国特許出願シリアル番号第09/324,451号、1999年7月12日に出願されたアメリカ合衆国特許出願シリアル番号第09/351,534号、2000年2月22日に出願されたアメリカ合衆国特許出願シリアル番号第09/510,923号、2000年2月22日に出願されたアメリカ合衆国特許出願シリアル番号第09/510,927号、2000年2月22日に出願されたアメリカ合衆国特許出願シリアル番号第09/510,932号、2001年4月17日に出願されたアメリカ合衆国特許出願シリアル番号第09/836,781号、2001年6月22日に出願されたアメリカ合衆国特許出願シリアル番号第09/887,789号。本出願は、2001年4月20日に出願されたアメリカ合衆国特許出願シリアル番号第60/285,193号、2001年6月22日に出願されたアメリカ合衆国特許出願シリアル番号第60/300,107号、2001年12月31日に出願されたアメリカ合衆国特許出願シリアル番号第60/344,648号のそれぞれの便益も主張するものであり、そのそれぞれの全体が参考としてこの明細書に明らかな形で含まれているものとする。
【手続補正２】
【補正対象書類名】明細書
【補正対象項目名】００３０
【補正方法】変更
【補正の内容】
【００３０】
ユーザ入力装置525は、ユーザから受け取ったコマンドに従ってユーザ入力データを生成し、そのユーザ入力データをデータ・バス520を通じて処理装置505に伝送する。処理装置505は、画像捕獲装置315を制御し、ユーザ入力装置520から受信したユーザ入力データに従って画像データを処理する構成になっている。
【手続補正３】
【補正対象書類名】明細書
【補正対象項目名】００３４
【補正方法】変更
【補正の内容】
【００３４】
ここで図6を参照すると、図3aと図3bに例示した電源装置325の詳細が図示されている。電源装置325は、電力をイメージング装置300に供給するバッテリー式電源ユニット605を備えている。バッテリー式電源ユニット605としては、例えばニッケルカドミウム電池、ニッケルメタル水素化物電池、リチウム電池などが挙げられる。電源装置330は、バッテリー式電源ユニット605に加えて、あるいはバッテリー式電源ユニット605の代わりに、外部電源（図示せず）、例えば電気機械駆動装置110からの電力を受け取るための電力用コンタクト610を備えることができる。このようにすると、電気機械駆動装置110は、可撓性シャフト170の内部または外部に配置された電線（ワイヤー）により電力を電源装置330に伝送することができる。